(57)【要約】      （修正有）【課題】運搬容易でコンパクトに形成された多目的のリュックサック兼用寝袋を提供する。【解決手段】このリュックサック兼用寝袋１０は、略矩形の上掛部と下敷部を備えた寝袋において、寝袋の一部を囲綾して、箱状のリュックサックを形成するためのリュックサック構成部が形成され、該リュックサック構成部は、折りたたみ、リュックサック構成部の周辺において対向する部位どうしが連結されて、箱状のリュックサックに組み立て可能に形成され、リュックサック構成部の周辺の非リュックサック構成部との境界において箱状のリュックサックに収納され、背負いベルト部４８は、リュックサック構成部に設けられていることを特徴としたものである。【選択図】図１２
0003169989.tif 000002
【実用新案登録請求の範囲】
【請求項１】
略矩形の上掛部と下敷部とを備えた寝袋において、
前記寝袋は、寝袋の一部に箱状のリュックサックを形成するためのリュックサック構成部が形成され、
前記リュックサック構成部は、折りたたみ、
前記リュックサック構成部の周辺において対向する部位どうしが連結されて、
箱状のリュックサックに組み立て可能に形成され、
前記リュックサック構成部の周辺の非リュックサック構成部との境界において箱状のリュックサックに収納され、
背負いベルト部は、リュックサック構成部に設けられることを特徴とするリュックサック兼用寝袋。
【請求項２】
前記リュックサック構成部は、凸型に形成され、
前記箱状のリュックサックの蓋となる上面部と、
前記箱状のリュックサックの正面部と、
前記箱状のリュックサックの底面となる底面部と、
前記背負いベルト部が取り付けられる背面部と、
前記箱状のリュックサックの左右の側面を形成するための左側面部および右側面部とにより形成されることを特徴とする、請求項１に記載のリュックサック兼用寝袋。
【請求項３】
前記寝袋の上から順に前記上面部、前記正面部、前記底面部、前記背面部が略同一幅で連接され、
前記背面部に前記左側面部、前記右側面部が連接され、
前記正面部と前記背面部とは、前記底面部を挟んで、その境界において内側に向けて折り曲げられて、前記底面部の前後に対向して直立されるように連接され、
前記右側面部および前記左側面部は、前記背面部との境界において、内側に向けて折り曲げられて、前記底面部を挟んで立設されるように連接され、
前記右側面部および前記左側面部は、前記正面部と前記背面部との間において、前記底面部と前記正面部と前記背面部とに連結部材により連結され、
前記上面部は、前記正面部、前記背面部、前記右側面部および前記左側面部とにより囲綾され形成された開口部を被蓋するように、前記正面部に折り曲げ自在に連接され、
連接された前記非リュックサック構成部は、前記上面部、前記正面部、前記底面部、前記右側面部および前記左側面部との境界において、前記正面部、前記底面部、前記背面部、前記右側面部および前記左側面部で形成された箱状リュックサック部内に折りたたまれるように連接された、請求項２に記載のリュックサック兼用寝袋。
【請求項４】
前記連結部材は、前記寝袋の一部を囲綾するように左ファスナ部および右ファスナ部により構成され、
前記左ファスナ部は、第１左ファスナ部と第２左ファスナ部により構成され、
前記第１左ファスナ部は、一端部である前記上面部の上辺の略中央から前記上面部の左辺、前記正面部の左辺および他端部である前記底面部の左辺の下端まで設けられ、
前記第２左ファスナ部は、一端部である前記左側面部の上辺の右端から前記左側面部の左辺、前記左側面部の下辺および他端部である前記背面部の下辺の略中央まで設けられ、
前記右ファスナ部は、第１右ファスナ部と第２右ファスナ部により構成され、
前記第１右ファスナ部は、一端部である前記上面部の上辺の略中央から前記上面部の右辺、前記正面部の右辺および他端部である前記底面部の右辺の下端まで設けられ、
前記第２右ファスナ部は、一端部である前記右側面部の上辺の左端から前記右側面部の右辺、前記右側面部の下辺、および他端部である前記背面部の下辺の略中央まで設けられることを特徴とする、請求項３に記載のリュックサック兼用寝袋。
【請求項５】
前記箱状のリュックサックを形成するための型紙が準備され、
前記型紙は、
前記リュックサック構成部における前記正面部、前記底面部、前記背面部、前記左側面部および右側面部と略同形状の凸型に形成され、
前記正面部、前記底面部、前記背面部、前記左側面部および前記右側面部の位置における前記上掛部と前記下敷部との間に配置することを特徴とする、請求項２ないし請求項４のいずれかに記載のリュックサック兼用寝袋。
【考案の詳細な説明】
【技術分野】
【０００１】
この考案は、リュックサック兼用寝袋に関し、特にたとえば、地震等の災害に備えて非常用物品を持ち出し可能に収容し、もしくは登山のために登山用品等を携行可能に収容する等のリュックサック機能を併せ持つリュックサック兼用寝袋に関する。
【背景技術】
【０００２】
災害時には、非常用物品を持ち出し可能に収容するリュックサック兼用寝袋として、平常時には、登山のために登山用品等を携行可能に収容する等のリュックサック機能を併せ持つリュックサック兼用寝袋が提案されている。
【０００３】
そこで、図２３、２４に示すようなリュックサック兼用寝袋が提案されている。
図２３は、従来の実施形態にかかるリュックサック兼用寝袋を上掛部側から見た平面図であり、図２４は、従来のリュックサック兼用寝袋をリュックサックとして使用した状態を示す斜視図である。
リュックサック兼用寝袋１は、長方形の上掛部２と下敷部３とを備えた封筒型の寝袋であって、上掛部２に背負いベルト４を設け、長辺５ａ，５ｂの中央部よりも一方の短辺６ａ寄りの部分で下敷部３を内側にして長手方向に二つ折りにし、これによって重ね合わされる両端縁にそれぞれファスナ７ａ，７ｂを設け、このファスナを閉じたときに袋部を形成するようにし、他方の短辺６ｂ側を一方の短辺６ａに覆い被せ、他方の短辺６ｂ及び覆い被された上掛部２に互いに着脱可能なファスナ８を設けて、リュックサック型に組み立て可能に構成されるとしたものである（特許文献１参照）。
【先行技術文献】
【特許文献】
【０００４】
【特許文献１】特開２００２−１７５４０号公報
【考案の概要】
【考案が解決しようとする課題】
【０００５】
しかしながら、特許文献１に記載されたリュックサック兼用寝袋１では、リュックサック兼用寝袋１をそのまま二つ折りにしたものであり、幅が大きくなることから、背中に背負って運ぶ際に邪魔となり、運搬が困難であった。また、従来のリュックサック兼用寝袋１は、上掛部２を袋部に覆い被せ、一方端部をファスナにより閉じ合わせたもので形成されているものであるから、リュックサック型に組み立てたとき、上部の両端辺が閉じられていないため袋部の密閉性が保たれておらず、また、下部の両端辺は、面ファスナにより閉じられていることから、これも密閉性が保たれていなかった。さらに、袋部は、明確な箱状に形成されていなかったことから、袋部に入れられた荷物の安定性が悪かった。
【０００６】
それゆえに、この考案の主たる目的は、運搬容易でコンパクトに形成された多目的のリュックサック兼用寝袋を提供することである。
【課題を解決するための手段】
【０００７】
この考案にかかる請求項１に記載の考案は、略矩形の上掛部と下敷部とを備えた寝袋において、寝袋は、寝袋の一部を囲綾して、箱状のリュックサックを形成するためのリュックサック構成部が形成され、リュックサック構成部は、折りたたみ、リュックサック構成部の周辺において対向する部位どうしが連結されて、箱状のリュックサックに組み立て可能に形成され、リュックサック構成部の周辺の非リュックサック構成部との境界において箱状のリュックサックに収納され、背負いベルト部は、リュックサック構成部に設けられることを特徴とするリュックサック兼用寝袋である。そのため、箱状に組み立てることが可能となる。
【０００８】
この考案にかかる請求項２に記載の考案は、リュックサック構成部は、凸型に形成され、箱状のリュックサックの蓋となる上面部と、箱状のリュックサックの正面部と、箱状のリュックサックの底面となる底面部と、背負いベルト部が取り付けられる背面部と、箱状のリュックサックの左右の側面を形成するための左側面部および右側面部とにより形成されることを特徴とする、請求項１に記載のリュックサック兼用寝袋である。
【０００９】
この考案にかかる請求項３に記載の考案は、寝袋の上から順に上面部、正面部、底面部、背面部が略同一幅で連接され、背面部に左側面部、右側面部が連接され、正面部と背面部とは、底面部を挟んで、その境界において内側に向けて折り曲げられて、底面部の前後に対向して直立されるように連接され、右側面部および左側面部は、背面部との境界において、内側に向けて折り曲げられて、底面部を挟んで立設されるように連接され、右側面部および左側面部は、正面部と背面部との間において、底面部と正面部と背面部とに連結部材により連結され、上面部は、正面部、背面部、右側面部および左側面部とにより囲綾され形成された開口部を被蓋するように、正面部に折り曲げ自在に連接され、連接された非リュックサック構成部は、上面部、正面部、底面部、右側面部および左側面部との境界において、正面部、底面部、背面部、右側面部および左側面部で形成された箱状リュックサック部内に折りたたまれるように連接された、請求項２に記載のリュックサック兼用寝袋である。
【００１０】
この考案にかかる請求項４に記載の考案は、連結部材は、左ファスナ部および右ファスナ部により構成され、左ファスナ部は、第１左ファスナ部と第２左ファスナ部により構成され、第１左ファスナ部は、一端部である上面部の上辺の略中央から上面部の左辺、正面部の左辺および他端部である底面部の左辺の下端まで設けられ、第２左ファスナ部は、一端部である左側面部の上辺の右端から左側面部の左辺、左側面部の下辺および他端部である背面部の下辺の略中央まで設けられ、右ファスナ部は、第１右ファスナ部と第２右ファスナ部により構成され、第１右ファスナ部は、一端部である上面部の上辺の略中央から上面部の右辺、正面部の右辺および他端部である底面部の右辺の下端まで設けられ、第２右ファスナ部は、一端部である右側面部の上辺の左端から右側面部の右辺、右側面部の下辺、および他端部である背面部の下辺の略中央まで設けられることを特徴とする、請求項３に記載のリュックサック兼用寝袋である。
【００１１】
この考案にかかる請求項５に記載の考案は、箱状のリュックサックを形成するための型紙が準備され、型紙は、リュックサック構成部における正面部、底面部、背面部、左側面部および右側面部と略同形状の凸型に形成され、正面部、底面部、背面部、左側面部および右側面部の位置における上掛部と下敷部との間に配置することを特徴とする、請求項２ないし請求項４のいずれかに記載のリュックサック兼用寝袋である。
【考案の効果】
【００１２】
この考案にかかるリュックサック兼用寝袋によれば、寝袋の一部に箱状のリュックサックを形成するリュックサック構成部が形成されており、リュックサック構成部の周辺において対向する部位どうしが連結されることで、箱状のリュックサックに組み立て可能に形成されていることから、コンパクトなリュックサックを形成することができ、さらに、袋部に、荷物をいれることができる。また、背負いベルト部は、リュックサック構成部に設けられていることから、リュックサック兼用寝袋を寝袋として使用する際に、該背負いベルト部が邪魔になることがないという効果を奏する。
【００１３】
この考案にかかるリュックサック兼用寝袋によれば、リュックサック構成部は、凸型に形成されており、箱状のリュックサックの蓋となる上面部と、箱状のリュックサックの正面部と、箱状のリュックサック底面となる底面部と、背負いベルト部が取り付けられる背面部と、箱状のリュックサックの左右の側面を形成する左側面部および右側面部とにより構成されることから、６面設けられた箱状のリュックサックを形成することができる。
【００１４】
この考案にかかるリュックサック兼用寝袋によれば、箱状のリュックサック型に組み立てる際に、連結箇所が、連結部材により形成されていることから、該箱状に組み立てられたリュックサック兼用寝袋の内部は、密閉性を保つことが可能となる。また、連結部材にファスナを使用していることから、箱状のリュックサック型に組み立てが容易である。
【００１５】
この考案にかかるリュックサック兼用寝袋によれば、箱状のリュックサックを形成するために、上掛部と下敷部との間に凸型の型紙を配置して組み立てることから、明確な箱状に形成可能となり、該形成された箱状のリュックサック内に荷物を安定して設置することができる。
【００１６】
この考案の上述の目的、その他の目的、特徴および利点は、図面を参照して行う以下の考案を実施するための形態の説明から一層明らかとなろう。
ここで、本明細書においては、リュックサック兼用寝袋の開口部が設けられている方を上側とし、足元側を下側とする。
【図面の簡単な説明】
【００１７】
【図１】本考案の実施形態にかかるリュックサック兼用寝袋を上掛部側から見た平面図である。
【図２】リュックサック兼用寝袋を折りたたむ箇所を示した図解図である。
【図３】リュックサック兼用寝袋にかかる（ａ）は、右側面図と（ｂ）は、下側面図である。
【図４】本考案の実施形態にかかるリュックサック兼用寝袋を下敷部側から見た平面図である。
【図５】リュックサック兼用寝袋を展開した平面図である。
【図６】図１における断面図である。
【図７】リュックサック兼用寝袋を組み立てる際に用いられる型紙の平面図である。
【図８】本考案にかかるリュックサック兼用寝袋をリュックサック型に組み立てた状態における斜視図である。
【図９】リュックサック兼用寝袋をリュックサック型に組み立てた状態において、（ａ）は、中央より上部側における水平方向の断面図および（ｂ）は、中央より下部側における水平方向の断面図である。
【図１０】リュックサック兼用寝袋の組み立て途中の状態を示した斜視図である。
【図１１】リュックサック兼用寝袋の組み立て途中において、図１０からさらに組み立てた状態を示した斜視図である。
【図１２】リュックサック兼用寝袋の組み立て途中において、図１１からさらに組み立てた状態を示した斜視図である。
【図１３】リュックサック兼用寝袋の組み立て途中において、図１２からさらに組み立てた状態を示した斜視図である。
【図１４】本願考案にかかるリュックサック兼用寝袋を本来の寝袋としての使用状態を示した図解図である。
【図１５】本願考案にかかるリュックサック兼用寝袋の寝袋として、他の使用状態を示した図解図である。
【図１６】本願考案にかかるリュックサック兼用寝袋の寝袋として、さらに他の使用状態を示した図解図である。
【図１７】本願考案にかかるリュックサック兼用寝袋の寝袋として、さらに他の使用状態を示した図解図である。
【図１８】本願考案にかかるリュックサック兼用寝袋のリュックサックとしての使用状態を示す斜視図である。
【図１９】本願考案にかかるリュックサック兼用寝袋のリュックサックとして、他の使用状態を示す斜視図である。
【図２０】本願考案にかかるリュックサック兼用寝袋のリュックサックとして、さらに他の使用状態を示す斜視図である。
【図２１】本願考案にかかるリュックサック兼用寝袋のリュックサックとして、さらに他の使用状態を示す斜視図である。
【図２２】本願考案にかかるリュックサック兼用寝袋のリュックサックとして、さらに他の使用状態を示す斜視図である。
【図２３】従来のリュックサック兼用寝袋を上掛部側から見た平面図である。
【図２４】従来のリュックサック兼用寝袋のリュックサックとして使用状態を示した斜視図である。
【考案を実施するための形態】
【００１８】
以下、図面を参照して本考案にかかるリュックサック兼用寝袋を説明する。図１、２は、この考案にかかるリュックサック兼用寝袋を上掛部側からみた平面図である。図３は、この考案にかかるリュックサック兼用寝袋の（ａ）右側面図、（ｂ）下側面図である。また、図４は、リュックサック兼用寝袋を下敷部側からみた平面図である。図５は、リュックサック兼用寝袋を展開した平面図である。図６は、図１における断面図である。図７は、リュックサック兼用寝袋をリュックサック型に組み立てる際に用いられる型紙の平面図である。図８は、リュックサック兼用寝袋をリュックサック型に組み立てた状態を示す斜視図である。図９は、図８におけるリュックサック兼用寝袋において、（ａ）中央より上部側における水平方向の断面図および（ｂ）中央より下部側における水平方向の断面図を示している。
リュックサック兼用寝袋１０は、寝袋を構成する上掛部１２と下敷部１４とを備えた平面長方形で、上掛部１２と下敷部１４の間に入った人間の首元から足先までを覆う長さを有する大きさに形成され、たとえば、幅は、７４ｃｍ、長さは、１９２ｃｍで形成される。この大きさは、本考案にかかるリュックサック兼用寝袋１０を寝袋として使用する際に、たとえば、大人１人または子供２人が同時に使用できるようにするための大きさを確保したものである。
【００１９】
図８に示すように、上掛部１２および下敷部１４は、元々上掛部１２と下敷部１４とを合わせた大きさの表地と裏地により綿等を両面から挟み込みキルティングされた１枚のマット状のものからなり、略中央において２つ折りに折り曲げられ、重ね合わされて、１つの寝袋を形成されるように構成されている。すなわち、表地は、上掛部１２および下敷部１４の外側を形成しており、裏地は、上掛部１２および下敷部１４の内側を形成することとなる。
上掛部１２と下敷部１４とは、左側長辺１６ａおよび右側長辺１６ｂと上側短辺１８ａおよび下側短辺１８ｂとを揃えて重ねられている。そして、上側短辺１８ａには、開口されているとともに巾着袋のように筒状部２０が設けられ、該筒状部２０に通されている紐２０ａを絞って開閉できるようになっている。
【００２０】
図３ないし図６に示すように、右側長辺１６ｂと下側短辺１８ｂとに連続してファスナ２２が設けられており、着脱自在に係着されている。
上掛部１２は、折り曲げ部側の長辺１６ａ１と、該長辺１６ａ１とは反対側の上掛部１２の開縁長辺１６ｂ１と、長辺１６ａ１の上端と開縁長辺１６ｂ１の上端との間の上側短辺１８ａ１と、長辺１６ａ１の下端と開縁長辺１６ｂ１の下端との間の下側短辺１８ｂ１とを備え、長辺１６ａ１および上側短辺１８ａ１を除く、開縁長辺１６ｂ１および下側短辺１８ｂ１には、ファスナ２２を構成する、一方のエレメント２２ａ１およびテープ２２ａ２からなる第１ファスナ部２２ａが縫着されている。
下敷部１４は、折り曲げ部側の長辺１６ａ１と、該長辺１６ａ１とは反対側の下敷部１４の開縁長辺１６ｂ２と、長辺１６ａ１の上端と開縁長辺１６ｂ２の上端との間の上側短辺１８ａ２と、長辺１６ａ１の下端と開縁長辺１６ｂ２の下端との間の下側短辺１８ｂ２とを備え、長辺１６ａ１および上側短辺１８ａ２を除く、開縁長辺１６ｂ２および下側短辺１８ｂ２には、ファスナ２２を構成する、他方のエレメント２２ｂ１およびテープ２２ｂ２からなる第２ファスナ部２２ｂが縫着されている。
【００２１】
上掛部１２の開縁に設けられた第１ファスナ部２２ａと、下敷部１４の開縁に設けられた第２ファスナ部２２ｂとは、それぞれのエレメント２２ａ１，２２ｂ１がかみ合い、連結される。
特に、上掛部１２の下側短辺１８ｂ１と下敷部１４の下側短辺１８ｂ２は、上掛部１２の開縁長辺１６ｂ１および下敷部１４の開縁長辺１６ｂ２の開閉とは別に、独自に開閉できるように構成されている。
すなわち、上掛部１２の開縁長辺１６ｂ１および下敷部１４の開縁長辺１６ｂ２の上端から連結するためのスライダー２２ｃと、折り曲げ部側の長辺１６ａ１の下端から連結するためのスライダー２２ｄとが設けられている。
また、上側短辺１８ａの右端部には、ファスナ保護部２４が設けられている。ファスナ保護部２４は、たとえば、面ファスナにより閉じられるようになっている。よって、図１に示すように、封筒型に形成されることで、本来寝袋として使用できるものである。
【００２２】
上掛部１２は、その下半分において、その外側面に、リュックサック構成部２５が形成されている。
リュックサック構成部２５は、ファスナを凸型に縫着することにより、上掛部１２の一部分が、囲綾された内側部分で形成されている。また、上掛部１２におけるリュックサック構成部２５以外の部分には、非リュックサック構成部３７が、形成されている。
リュックサック構成部２５は、図２に示すように、上面部２６と正面部２８と底面部３０と背面部３２と左側面部３４と右側面部３６とにより構成されている。正面部２８と背面部３２とは、略同一の形状の縦長長方形で、上面部２６と底面部３０とは、略同一の形状の横長長方形である。上面部２６、正面部２８、底面部３０、背面部３２、左側面部３４および右側面部３６により凸型に形成され、該凸型に形成された範囲の周辺部には、着脱可能な左右一対の左側ファスナ３８ａおよび右側ファスナ３８ｂが設けられている。
左側ファスナ３８ａおよび右側ファスナ３８ｂは、上掛部１２における始点４０および終点４２を通る中心線に基づいて、線対称に設けられている。
【００２３】
より詳細に説明すると、左側ファスナ３８ａは、第１左ファスナ３８ａ１および第２左ファスナ３８ａ２により構成されている。第１左ファスナ３８ａ１と第２左ファスナ３８ａ２とは、略同じ長さで形成されており、閉じられることで、第１左ファスナ３８ａ１と第２ファスナ３８ａ２とは係着される。
第１左ファスナ３８ａ１は、一端部である上面部２６の上辺２６ａの略中央から上面部２６の左辺２６ｂ、正面部２８の左辺２８ａおよび底面部３０の左辺３０ａの下端である他端部まで縫着されることにより形成され、第２左ファスナ３８ａ２は、一端部である左側面部３４の上辺３４ａの右端から左側面部３４の左辺３４ｂ、左側面部３４の下辺３４ｃおよび他端部である背面部３２の下辺３２ａの略中央まで縫着されることにより形成されている。
また、右側ファスナ３８ｂは、第１右ファスナ３８ｂ１および第２右ファスナ３８ｂ２により構成されている。第１右ファスナ３８ｂ１と第２右ファスナ３８ｂ２とは、略同じ長さで形成されており、閉じられることで第１右ファスナ３８ｂ１と第２右ファスナ３８ｂ２とが係着される。
【００２４】
第１右ファスナ３８ｂ１は、一端部である上面部２６の上辺２６ａの略中央から上面部２６の右辺２６ｃ、正面部２８の右辺２８ｂおよび底面部３０の右辺３０ｂの下端である他端部まで縫着されることにより形成され、第２右ファスナ３８ｂ２は、一端部である右側面部３６の上辺３６ａの左端から右側面部３６の右辺３６ｂ、右側面部の下辺３６ｃおよび他端部である背面部３２ａの下辺３２ａの略中央まで縫着されることにより形成されている。左側面部３４の上辺３４ａと右側面部３６の上辺３６ａとは、略同一の長さで形成されている。
左側ファスナ３８ａおよび右側ファスナ３８ｂにおける始点４０ａおよび始点４０ｂは、上面部２６の上辺２６ａの略中央に設けられている。
左側ファスナ３８ａにおける始点４０ａは、第１左ファスナ３８ａ１の他端部および第２左ファスナ３８ａ２の一端部に設けられ、右側ファスナ３８ｂの始点４０ｂは、第１右ファスナ３８ｂ１の他端部および第２右ファスナ３８ｂ２の一端部に設けられている。
また、左側ファスナ３８ａの終点４２ａは、第１左ファスナ３８ａ１の一端部および第２左ファスナ３８ａ２の他端部に設けられ、右側ファスナ３８ｂの終点４２ｂは、第１右ファスナ３８ｂ１の一端部および第２右ファスナ３８ｂ２の他端部に設けられている。
また、図３（ｂ）に示すように、第１左ファスナ３８ａ１の一端部および第１右ファスナ３８ｂ１の一端部は対向して重ねるように設けられ、第２左ファスナ３８ａ２の他端部および第２右ファスナ３８ｂ２の他端部も対向して重ねるように設けられている。
左側長辺１６ａと上面部２６の左辺２６ｂ、正面部２８の左辺２８ａおよび底面部３０の左辺３０ａとが、平行に形成されており、右側の長辺１６ｂと上面部２６の右辺２６ｃ、正面部２８の右辺２８ｂおよび底面部３０の右辺３０ｂとが、平行に形成されている。
【００２５】
上掛部１２上において、上面部２６、正面部２８、底面部３０、背面部３２が、縦一列に上掛部１２の中央部に配置されている。そして、背面部３２の左側に、左側面部３４が配置され、右側に、右側面部３６が配置されている。左側面部３４は、長辺１６ａ１の近傍に位置し、右側面部３６は、開縁長短１６ｂ１の近傍に位置し、背面部３２、左側面部３４および右側面部３６の下端は、下側短辺１８ｂ１に位置している。
正面部２８、底面部３０および背面部３２は、正面部２８の上部から背面部３２の下部にわたって、左右一対の第１補助ベルト部５２，５２が適宜な間隔をおいて上下方向に延びるように縫着されており、正面部２８、底面部３０および背面部３２を保型している。
また、上掛部１２の上部側には、リュックサック兼用寝袋１０の上部側を畳んだ際に束ねるための紐４４が設けられている。
【００２６】
本考案にかかるリュックサック兼用寝袋１０は、箱状のリュックサック型に組み立てることができる。
図８は、リュックサック兼用寝袋１０をリュックサック型に組み立てた状態を示した斜視図である。図９は、図８における断面図を示している。リュックサック型での大きさは、たとえば、幅は、３４ｃｍ、奥行きは、２０ｃｍ、高さは、４０ｃｍで形成される。
リュックサック兼用寝袋１０が組み立てられると図８に示すような箱状のリュックサックが形成される。箱状の形は、上述したように、上掛部１２と下敷部１４との間に挿入された型紙６６により維持される。そして、正面部２８、底面部３０、背面部３２、左側面部３４および右側面部３６により袋部４６が形成される。
【００２７】
より詳細に説明すると、上面部２６は、箱状のリュックサック型に組み立てられた場合、蓋の部分を形成する。正面部２８は、箱状のリュックサック型に組み立てられた場合、正面に位置する。底面部３０は、箱状のリュックサック型に組み立てられた場合、底面を形成する。背面部３２には、後述する背負いベルト４８，４８が取り付けられており、箱状のリュックサックに組み立てられた場合、背中と接触する部分である。左側面部２２および右側面部２４は、箱状のリュックサック型に組み立てられた場合、両側面を形成する。
箱状に組み立てられる際には、リュックサック兼用寝袋１０の左側長辺１６ａおよび右側長辺１６ｂが、上面部２６、正面部２８および底面部３０の左右面側縁（図３で示されている一点鎖線５０ａ）に沿って下敷部１４の方向へ山折りされる。山折りされることで、リュックサック兼用寝袋１０の幅が、リュックサック型に組み立てたときの幅に形成されることとなる。そして、リュックサック型の幅に折りたたまれた状態で、底面部３０と背面部３２との想像上の境界（図３で示されている一点鎖線５０ｂ）に沿って山折りで折りたたまれ、同時に一点鎖線５０ｃに沿って谷折りで折りたたまれる。結果、リュックサック兼用寝袋１０がリュックサック型に形成された場合、背面部３２の下辺３２ａ、左側面部３４の下辺３４ａおよび右側面部３６の下辺３６ａが上側となり、それぞれの辺が、リュックサックに形成された際の袋部４６における開口部を形成することとなる。
そして、正面部２８と底面部３０との想像上の境界（図３で示されている一点鎖線５０ｄ）および上面部２６と正面部２８との想像上の境界（図３で示されている一点鎖線５０ｅ）に沿って、順に山折りで折りたたまれたうえで、左側ファスナ３８ａおよび右側ファスナ３８ｂがそれぞれ閉じられることとなる。
ここで、上述した一点鎖線５０ｂ、一点鎖線５０ｄおよび一点鎖線５０ｅと下側短辺１８ｂとは、略平行に形成されている。また、一点鎖線５０ａと左側長辺１６ａおよび右側長辺１６ｂとは、略平行に形成されている。
また、一点鎖線５０ａと一点鎖線５０ｂ、一点鎖線５０ｄおよび一点鎖線５０ｅとは、略垂直に形成されており、一点鎖線５０ａと下側短辺１８ｂとは、略垂直に形成されている。
袋部４６には、リュックサック兼用寝袋１０の左側長辺１６ａおよび右側長辺１６ｂが下敷部１４方向に折りたたまれた部分、すなわち、非リュックサック構成部が、配置される。そして、リュックサック兼用寝袋１０の上面部２６の上辺から上側短辺１８ａの部分を上側短辺１８ａの方から下側短辺１８ｂの方向へ丸めるように巻くことで略円柱状に形成されたものが、紐４４でまとめられ、袋部４６に配置される。
【００２８】
上掛部１２における背面部３２は、第１補助ベルト部５２，５２に背負いベルト３２，３２が縫着されている。
背負いベルト４８，４８は、該背負いベルト４８，４８の長さが調節できるようなベルト調節部４８ａ，４８ａが設けられており、切り離しできるように、着脱可能な留め具４８ｂ，４８ｂが設けられている。
また、上掛部１２における正面部２８には、第１補助ベルト５２，５２が、リュックサック兼用寝袋１０の長手方向に縫着され、第２補助ベルト５４が、第１補助ベルト５２，５２と９０度で交わるように縫着されている。第１補助ベルト５２，５２は、背負いベルト４８，４８に連続して設けられている。第１補助ベルト５２，５２にも、該第１補助ベルト５２，５２の長さが調節できるようなベルト調節部５２ａ，５２ａが設けられており、切り離しできるように、着脱可能な留め具５２ｂ，５２ｂが設けられている。第1補助ベルト５２，５２は、本考案のリュックサック兼用寝袋１０を箱状のリュックサック型に組み立てた場合、少なくとも、該リュックサックの縦方向の外周の長さが確保されるように設けられている。
さらに、第２補助ベルト５４にも、ベルト調節部５４ａが設けられており、切り離しできるように、着脱可能な留め具５４ｂが設けられている。第２補助ベルト５４は、本考案のリュックサック兼用寝袋１０を箱状のリュックサック型に組み立てた場合、少なくとも、該リュックサックの横方向の外周の長さが確保されるように設けられている。
第１補助ベルト５２，５２は、袋部４６に所望の荷物およびリュックサック兼用寝袋１０の上部側が略円柱状に丸められたものを入れて、上面部２６により蓋がされたリュックサック兼用寝袋１０に、縦方向に架け巡らされる。第２補助ベルト５４は、箱状に組み立てられたリュックサック兼用寝袋１０の横方向に架け巡らされる。
【００２９】
正面部２８における中心部付近には、ポケット５６が配置されている。ポケット５６には、たとえば、名札等が挿入できるようになっており、ファスナ５６ａにより閉じることができる。
また、右側面部３６および左側面部３４における中心部付近には、ポケット５８，６０が配置されており、蓋５８ａ，６０ａが設けられている。蓋５８ａ，６０ａは、たとえば、面ファスナにより閉じるようになっている。
【００３０】
図６に示すように、上掛部１２および下敷部１４は、表地６２および裏地６４がキルト加工され、綿等を両面から挟み込んで構成されている。表地６２は、たとえば、ポリエステルや撥水加工布等によって形成されており、裏地６４は、たとえば、ネル地で形成されている。なお、綿の代わりに羽毛でもよく、撥水加工布等の代わりに木綿布であってもよい。
【００３１】
上述したように、リュックサック兼用寝袋１０を箱状のリュックサック型に組み立てる際には、型紙６６が、上掛部１２と下敷部１４の間に配置される。図７は、リュックサック兼用寝袋を組み立てる際に用いられる型紙を示した平面図である。
より詳細に説明すると、図１および図７に示すように、型紙６６は、上掛部１２における正面部２８、底面部３０、背面部３２、左側面部３４および右側面部に対応した略同形に形成される。すなわち、型紙６６は、正面部６６ａ、底面部６６ｂ、背面部６６ｃ、左側面部６６ｄ、右側面部６６ｅにより、それぞれ略矩形に形成されている。正面部６６ａの下辺と底面部６６ｂの上辺とが設けられる。底面部６６ｂの下辺と背面部６６ｃの上辺とが設けられる。また、背面部６６ｃの左辺と左側面部６６ｄの右辺とが設けられ、背面部６６ｃの右辺と右側面部６６ｅの左辺とが設けられる。結果、型紙６６は、凸型に形成される。
型紙６６における底面部６６ｂの両辺には、半円形状とした切込み部６６ｆが形成される。
【００３２】
このリュックサック兼用寝袋１０では、上掛部１２において、リュックサック型を形成する６面体の一展開図とする凸型を形成したリュックサック構成部に着脱可能な左右一対の左側ファスナ３８ａおよび右側ファスナ３８ｂを設けることにより、コンパクトな箱状の袋部４６を形成することができ、結果、使用者の身体の幅に適した大きさとなり、運搬容易にコンパクトなリュックサックを形成することができる。
【００３３】
また、このリュックサック兼用寝袋では、左右一対の左側ファスナ３８ａおよび右側ファスナ３８ｂにより係着されることにより箱状のリュックサック型に組み立てることで袋部４６が形成されることから、該袋部４６の密閉性を確保することができる。
【００３４】
また、このリュックサック兼用寝袋１０では、型紙６６を上掛部１２と下敷部１４の間に配置してリュックサック型に組み立てることにより、リュックサック兼用寝袋１０を箱状の形を維持するリュックサック型に形成することができる。
【００３５】
第１補助ベルト５２，５２は、リュックサック兼用寝袋１０をリュックサック型に組み立てた際に、縦方向に配置され、着脱可能な留め具５２ｂ，５２ｂにより連結されることで、袋部４６に収納された荷物を第１補助ベルト５２，５２で縛っているような効果を奏し、荷物が安定される。さらに、第２補助ベルト５４が設けられていることから、袋部４６に収納されている荷物を横方向で縛っているような効果を奏すことから、より荷物が安定される。
【００３６】
また、上掛部１２に紐４４が設けられることで、折りたたむ際に、リュックサック兼用寝袋１０の上部がはだけることなくまとめることができる。
【００３７】
リュックサック兼用寝袋１０が、寝袋の状態からリュックサックの状態に組み立てる方法について説明する。図２には、本考案にかかるリュックサック兼用寝袋１０を組み立てる際の折りたたむ箇所を示しており、図４には、型紙６６が配置される場所を示している。また、図１０ないし図１３は、リュックサック兼用寝袋１０の組み立て途中の状態を示した斜視図である。
まず、上述したように、正面部２８、底面部３０、背面部３２、左側面部３４および右側面部３６により形成されている凸型と略同形の型紙６６が準備される。そして、図４に示すように、正面部２８、底面部３０、背面部３２、左側面部３４および右側面部３６に対応する箇所における上掛部１２および下敷部１４の間に、型紙６６が配置される。そして、上掛部１２および下敷部１４は、ファスナ２２により閉じられる。
図１０に示すように、リュックサック兼用寝袋１０の左側長辺１６ａおよび右側長辺１６ｂと略平行の一点鎖線５０ａに沿って山折される。続いて、一点鎖線５０ｂに沿って山折りされ、同時に一点鎖線５０ｃに沿って谷折りされることで、底面部３０の左辺３０ａに設けられた第１左ファスナ３８ａ１と左側面部３４の上辺３４ａに設けられた第２左ファスナ３８ａ２とが係着され、底面部３０の右辺３０ｂに設けられた第１右ファスナ３８ｂ１と右側面部３６の上辺３６ａに設けられた第２右ファスナ３８ｂ２とが係着される。
【００３８】
そして、図１１に示すように、リュックサック兼用寝袋１０の左側長辺１６ａおよび右側１６ｂにおける上部側は、一点鎖線５０ｄに沿って山折されることで、正面部２８の左辺２８ａに設けられた第１左ファスナ３８ａ１と左側面部３４の左辺３４ｂに設けられた第２左ファスナ３８ａ２とが係着され、正面部２８の右辺２８ｂに設けられた第１右ファスナ３８ｂ１と右側面部３６の右辺３６ｂに設けられた第２右ファスナ３８ｂ２とが係着される。結果、正面部２８、底面部３０、背面部３２、左側面部３４および右側面部によって、袋部４６が形成される。
図１２に示すように、リュックサック兼用寝袋１０の上部側の部分は、下敷部１４側に折りたたまれる。そして、端からなるべく小さくなるように巻くことで、図１２のように略円柱状に形成され、続いて、袋部４６に挿入される。略円柱状に形成されたものは、紐４４によりまとめられる。
そして、上面部２６の上辺２６ａの略中央から上面部２６の左辺２６ｂに設けられた第１左ファスナ３８ａ１と左側面部３４の下辺３４ｃから背面部３２の下辺３２ａの略中央に設けられた第２左ファスナ３８ａ２とが係着され、上面部２６の上辺２６ａの略中央から上面部２６の右辺２６ｃに設けられた第１右ファスナ部３８ｂ１と右側面部３６の下辺３６ｃから背面部３２の下辺３２ａの略中央に設けられた第２右ファスナ部３８ｂ２とが係着される。すなわち、図１３に示すように、上面部２６の上辺および両端辺の３辺に設けられたファスナ３８ａ，３８ｂの部分と左側面部３４、背面部３２および右側面部３６のそれぞれ下辺に位置するファスナ３８ａ，３８ｂの部分とが係着されることで、上面部２６は、袋部４６の蓋の役割を果たす。
【００３９】
次に、この考案にかかるリュックサック兼用寝袋の寝袋としての使用例について説明する。図１４は、この考案にかかるリュックサック兼用寝袋を寝袋として使用したときの使用例を示している。図１４は、リュックサック兼用寝袋１０の一般的な方法により使用した状態を示している。すなわち、リュックサック兼用寝袋１０の上側に設けられた開口部より、たとえば、大人一人が入ることにより、寝袋として使用するとしたものである。
【００４０】
図１５は、この考案にかかるリュックサック兼用寝袋を寝袋として使用したときの他の使用例を示している。
リュックサック兼用寝袋１０におけるファスナ２２には、スライダー２２ｄが設けられていることで、リュックサック兼用寝袋１０の開口部を下側短辺１８ｂにも設けることができる。よって、小さな子供の場合には、上側短辺１８ａおよび下側短辺１８ｂから入ることで、２人の子供により使用することが可能となる。
【００４１】
図１６は、この考案にかかるリュックサック兼用寝袋を寝袋として使用したときの、さらに他の使用例を示している。図１６には、本願考案にかかるリュックサック兼用寝袋１０および子供用寝袋７０を示している。
子供用寝袋７０は、略矩形の上掛部７２と下敷部７４とを備えた封筒型の寝袋とで構成される。子供用寝袋７０は、たとえば、幅は、４６ｃｍ、長さは、１４０ｃｍで形成される。
上掛部７２と下敷部７４とは、左側長辺７６ａおよび右側長辺７６ｂと上側短辺７８ａおよび下側短辺７８ｂとを揃えて重ねられている。また、左側長辺７６ａおよび右側長辺７６ｂの側面には、ファスナ８０が設けられており着脱自在に係着されている。上掛部７２における左側長辺７６ａおよび右側長辺７６ｂには、ファスナ８０を構成する一方の第１ファスナ部が縫着されている。下敷部７４における左側長辺７６ａおよび右側長辺７６ｂには、ファスナ８０を構成する他方の第２ファスナ部が縫着されている。
図１６に示すように、子供用寝袋７０とリュックサック兼用寝袋１０とは、リュックサック兼用寝袋１０の長辺１６ｂ１に縫着されている第１ファスナ部２２ａと子供用寝袋７０の上掛部７２における左側長辺７６ａに縫着されている第１ファスナ部８０とが連結される。また、リュックサック兼用寝袋１０の長辺１６ｂ２に縫着されている第２ファスナ部２２ｂと子供用寝袋７０の下敷部７４における左側長辺７６ａに縫着されている第２ファスナ部とが連結される。このようにリュックサック兼用寝袋１０と子供用寝袋７０とが一体の寝袋として連結することができる。結果、リュックサック兼用寝袋１０と子供用寝袋７０とが連結できることで、たとえば、避難所等といった混乱した中でも、親子が逸れることなく安心して寝ることができる。
【００４２】
また、図１７は、この考案にかかるリュックサック兼用寝袋を寝袋として使用したときの、他の使用例を示している。
図１７には、本願考案にかかるリュックサック兼用寝袋１０、１０の間に子供用寝袋７０を挟んだものである。図１７における子供用寝袋７０の右側長辺７６ｂに位置するファスナ８０とリュックサック兼用寝袋１０のファスナ２２とが係着されることにより連結したものである。
このように、リュックサック兼用寝袋１０、１０の間に子供用寝袋７０を挟んで連結できることから、たとえば、避難所等といった混乱した中でも、両親と子供が逸れることなく安心して寝ることができる。
【００４３】
続いて、この考案にかかるリュックサック兼用寝袋をリュックサック型に組み立てたときにおける使用例について説明する。
図１８は、この考案にかかるリュックサック兼用寝袋をリュックサック型として使用したときの使用例を示している。
図１８示すように、リュックサック型としたときは、幅が身体の幅とほぼ同じ大きさで形成されることから、運搬容易にコンパクトに形成できることがわかる。
【００４４】
図１９は、この考案にかかるリュックサック兼用寝袋をリュックサック型として使用したときの他の使用例を示している。
図１９に示すように、リュックサック兼用寝袋１０を組み立てた際に形成された袋部４６を、有効活用したい場合には、リュックサック兼用寝袋１０の上部を丸めることにより略円柱状に形成されたものを上面部２６の上部に配置することで、袋部４６の空間を確保することができる。このとき、第１補助ベルト５２，５２におけるベルト調整部５２ａ，５２ａにより調整することで、リュックサック兼用寝袋１０の非リュックサック構成部３７を含めた上部を丸めることにより略円柱状に形成されたものを固定することができる。
こうすることで、リュックサック兼用寝袋１０の袋部４６内には、より多くの荷物を入れることが可能となる。
【００４５】
また、図２０は、この考案にかかるリュックサック兼用寝袋をリュックサック型として使用したときの他の使用例を示している。
図２０は、リュックサック兼用寝袋１０における袋部４６に、子供を入れて運ぶとしたものである。上掛部１２および下敷部１４は、綿や羽毛等によるクッション性のある素材により構成されているため、袋部４６に子供を入れた際にも、子供を保護する効果を奏する。
リュックサック兼用寝袋１０の上部を丸めることにより略円柱状に形成されたものが、紐４４で束ねられ、たとえば、背負いベルト４８等に結びつけられることで、子供の背後に保持される。また、紐４４とは別に、ホック等を別途設けることで、略円柱状に形成されたものが保持されるようにされてもよい。
また、袋部４６の大きさに対して、子供が大きい場合には、底面部３０の左辺３０ａおよび右辺３０ｂにおける左右一対の左側ファスナ３８ａおよび右側ファスナ３８ｂを開けることで、子供の両足を出すことができる。このとき、底面部３０の左辺３０ａおよび右辺３０ｂに対応する箇所、すなわち型紙６６の半円形状とした切込み部６６ｆ等の所定の箇所が切り取られることで、子供の足の通路が確保される。
【００４６】
また、図２１は、この考案にかかるリュックサック兼用寝袋をリュックサック型として使用したときの他の使用例を示している。
紐４４によって、リュックサック兼用寝袋１０の上部側をまとめることで、頭部を保護するとした防災頭巾として使用することができる。また、子供を袋部４６に背負っている場合でも、大人と子供とが、同時に防災頭巾として使用することができる。
【００４７】
さらに、図２２は、この考案にかかるリュックサック兼用寝袋をリュックサック型として使用した時の他の使用例を示している。
図２２には、第２補助ベルト５４および第３補助ベルト９０を利用することによって、リュックサック型に組み立てられたリュックサック兼用寝袋１０における右側面部３６もしくは左側面部３４に接するように、荷物を配置させることができるとしたものである。
荷物には、たとえば、子供用寝袋７０を略円柱状に丸め、袋８２に詰めたものを配置している。
上述のように、リュックサック兼用寝袋１０における袋部５４に入りきらなかった荷物等を、左側面部３４もしくは右側面部３６に接するように配置させることで運搬することができることから、より多くの荷物を運搬することが可能となる。
【００４８】
本考案は、リュックサック兼用寝袋１０における上掛部１２の一部にリュックサック構造部２５を形成したものであるが、それに限られるものではなく、上掛部１２の表面にリュックサック構造部２５を別部材で設けるようにしてもよい。
【符号の説明】
【００４９】
１０  リュックサック兼用寝袋
１２  上掛部
１４  下敷部
１６  長辺
１８  短辺
２０  紐
２２  ファスナ
２４  ファスナ保護部
２５  リュックサック構成部
２６  上面部
２８  正面部
３０  底面部
３２  背面部
３４  左側面部
３６  右側面部
３７  非リュックサック構成部
３８ａ  左側ファスナ
３８ｂ  右側ファスナ
４４  紐
４６  袋部
４８  背負いベルト
５２  第１補助ベルト部
５４  第２補助ベルト部
６２  表地
６４  裏地
６６  型紙
７０  子供用寝袋
【図１】
0003169989.tif 000003
【図２】
0003169989.tif 000004
【図３】
0003169989.tif 000005
【図４】
0003169989.tif 000006
【図５】
0003169989.tif 000007
【図６】
0003169989.tif 000008
【図７】
0003169989.tif 000009
【図８】
0003169989.tif 000010
【図９】
0003169989.tif 000011
【図１０】
0003169989.tif 000012
【図１１】
0003169989.tif 000013
【図１２】
0003169989.tif 000014
【図１３】
0003169989.tif 000015
【図１４】
0003169989.tif 000016
【図１５】
0003169989.tif 000017
【図１６】
0003169989.tif 000018
【図１７】
0003169989.tif 000019
【図１８】
0003169989.tif 000020
【図１９】
0003169989.tif 000021
【図２０】
0003169989.tif 000022
【図２１】
0003169989.tif 000023
【図２２】
0003169989.tif 000024
【図２３】
0003169989.tif 000025
【図２４】
0003169989.tif 000026
【手続補正書】
【提出日】平成23年1月7日(2011.1.7)
【手続補正１】
【補正対象書類名】実用新案登録請求の範囲
【補正対象項目名】全文
【補正方法】変更
【補正の内容】
【実用新案登録請求の範囲】
【請求項１】
略矩形の上掛部と下敷部とを備えた寝袋において、
前記寝袋は、
箱状のリュックサックを形成するための複数の面を有するリュックサック構成部と、
前記箱状のリュックサックに収納される非リュックサック構成部と、
前記リュックサック構成部に設けられる背負いベルト部と、
を含み、
前記リュックサック構成部は、
前記複数の面を折りたたむことで前記複数の面により形成される対向する面どうしが連結されて、箱状のリュックサックに形成されることを特徴とするリュックサック兼用寝袋。
【請求項２】
前記リュックサック構成部の複数の面は、凸型に形成され、
前記箱状のリュックサックの蓋となる上面部と、
前記箱状のリュックサックの正面部と、
前記箱状のリュックサックの底面となる底面部と、
前記背負いベルト部が取り付けられる背面部と、
前記箱状のリュックサックの左右の側面を形成するための左側面部および右側面部とにより形成されることを特徴とする、請求項１に記載のリュックサック兼用寝袋。
【請求項３】
前記寝袋の上から順に前記上面部、前記正面部、前記底面部、前記背面部が略同一幅で連接され、
前記背面部に前記左側面部、前記右側面部が連接され、
前記正面部と前記背面部とは、前記底面部を挟んで、その境界において内側に向けて折り曲げられて、前記底面部の前後に対向して直立されるように連接され、
前記右側面部および前記左側面部は、前記背面部との境界において、内側に向けて折り曲げられて、前記底面部を挟んで立設されるように連接され、
前記右側面部および前記左側面部は、前記正面部と前記背面部との間において、前記底面部と前記正面部と前記背面部とに連結部材により連結され、
前記上面部は、前記正面部、前記背面部、前記右側面部および前記左側面部とにより囲綾され形成された開口部を被蓋するように、前記正面部に折り曲げ自在に連接され、
連接された前記非リュックサック構成部は、前記上面部、前記正面部、前記底面部、前記右側面部および前記左側面部との境界において、前記正面部、前記底面部、前記背面部、前記右側面部および前記左側面部で形成された箱状リュックサック部内に折りたたまれるように連接された、請求項２に記載のリュックサック兼用寝袋。
【請求項４】
前記連結部材は、前記寝袋の一部を囲綾するように左ファスナ部および右ファスナ部により構成され、
前記左ファスナ部は、第１左ファスナ部と第２左ファスナ部により構成され、
前記第１左ファスナ部は、一端部である前記上面部の上辺の略中央から前記上面部の左辺、前記正面部の左辺および他端部である前記底面部の左辺の下端まで設けられ、
前記第２左ファスナ部は、一端部である前記左側面部の上辺の右端から前記左側面部の左辺、前記左側面部の下辺および他端部である前記背面部の下辺の略中央まで設けられ、
前記右ファスナ部は、第１右ファスナ部と第２右ファスナ部により構成され、
前記第１右ファスナ部は、一端部である前記上面部の上辺の略中央から前記上面部の右辺、前記正面部の右辺および他端部である前記底面部の右辺の下端まで設けられ、
前記第２右ファスナ部は、一端部である前記右側面部の上辺の左端から前記右側面部の右辺、前記右側面部の下辺、および他端部である前記背面部の下辺の略中央まで設けられることを特徴とする、請求項３に記載のリュックサック兼用寝袋。
【請求項５】
前記箱状のリュックサックを形成するための型紙が準備され、
前記型紙は、
前記リュックサック構成部における前記正面部、前記底面部、前記背面部、前記左側面部および右側面部と略同形状の凸型に形成され、
前記正面部、前記底面部、前記背面部、前記左側面部および前記右側面部の位置における前記上掛部と前記下敷部との間に配置することを特徴とする、請求項２ないし請求項４のいずれかに記載のリュックサック兼用寝袋。
【手続補正書】
【提出日】平成23年3月30日(2011.3.30)
【手続補正１】
【補正対象書類名】実用新案登録請求の範囲
【補正対象項目名】全文
【補正方法】変更
【補正の内容】
【実用新案登録請求の範囲】
【請求項１】
略矩形の上掛部と下敷部とを備えた寝袋において、
前記寝袋は、
箱状のリュックサックを形成するための複数の面を有するリュックサック構成部と、
前記箱状のリュックサックに収納される非リュックサック構成部と、
前記リュックサック構成部に設けられる背負いベルト部と、
を含み、
前記リュックサック構成部は、
前記箱状のリュックサックの蓋となる上面部と、
前記箱状のリュックサックの正面部と、
前記箱状のリュックサックの底面となる底面部と、
前記背負いベルト部が取り付けられる背面部と、
前記箱状のリュックサックの左右の側面を形成するための左側面部および右側面部とを含み、
前記寝袋の上から順に前記上面部、前記正面部、前記底面部、前記背面部が略同一幅で連接され、且つ、前記背面部に前記左側面部、前記右側面部が連接されることにより凸型に形成され、
前記正面部と前記背面部とは、前記底面部を挟んで、その境界において底面側に向けて折り曲げられて、前記底面部の前後において対向して立設されるように連接され、
前記右側面部および前記左側面部は、前記背面部との境界において、底面側に向けて折り曲げられて、前記底面部を挟んで立設されるように連接され、
前記右側面部および前記左側面部における前記背面部との境界以外の部分の一部は、前記正面部と前記背面部との間において、前記底面部と前記正面部と連結部材により係着されることにより連結され、
前記上面部は、連結された前記正面部、前記背面部、前記右側面部および前記左側面部により囲繞されることにより形成された開口部を被蓋するように、前記正面部に折り曲げ自在に連接されて、箱状のリュックサックに形成されることを特徴とするリュックサック兼用寝袋。
【請求項２】
前記非リュックサック構成部は、前記上面部、前記正面部、前記底面部、前記右側面部および前記左側面部との境界において、前記正面部、前記底面部、前記背面部、前記右側面部および前記左側面部で形成された箱状リュックサック部内に折りたたまれるように連接された、請求項１に記載のリュックサック兼用寝袋。
【請求項３】
前記連結部材は、前記寝袋の一部を囲綾するように左ファスナ部および右ファスナ部により構成され、
前記左ファスナ部は、第１左ファスナ部と第２左ファスナ部により構成され、
前記第１左ファスナ部は、一端部である前記上面部の上辺の略中央から前記上面部の左辺、前記正面部の左辺および他端部である前記底面部の左辺の下端まで設けられ、
前記第２左ファスナ部は、一端部である前記左側面部の上辺の右端から前記左側面部の左辺、前記左側面部の下辺および他端部である前記背面部の下辺の略中央まで設けられ、
前記右ファスナ部は、第１右ファスナ部と第２右ファスナ部により構成され、
前記第１右ファスナ部は、一端部である前記上面部の上辺の略中央から前記上面部の右辺、前記正面部の右辺および他端部である前記底面部の右辺の下端まで設けられ、
前記第２右ファスナ部は、一端部である前記右側面部の上辺の左端から前記右側面部の右辺、前記右側面部の下辺、および他端部である前記背面部の下辺の略中央まで設けられることを特徴とする、請求項２に記載のリュックサック兼用寝袋。
【請求項４】
前記箱状のリュックサックを形成するための型紙が準備され、
前記型紙は、
前記リュックサック構成部における前記正面部、前記底面部、前記背面部、前記左側面部および右側面部と略同形状の凸型に形成され、
前記正面部、前記底面部、前記背面部、前記左側面部および前記右側面部の位置における前記上掛部と前記下敷部との間に配置することを特徴とする、請求項１ないし請求項３のいずれかに記載のリュックサック兼用寝袋。
【手続補正書】
【提出日】平成23年6月23日(2011.6.23)
【手続補正１】
【補正対象書類名】実用新案登録請求の範囲
【補正対象項目名】全文
【補正方法】変更
【補正の内容】
【実用新案登録請求の範囲】
【請求項１】
略矩形の上掛部と下敷部とにより袋状に形成された寝袋において、
前記寝袋の上掛部は、
箱状のリュックサックを形成するための複数の面を有するリュックサック構成部と、
前記箱状のリュックサックに収納される非リュックサック構成部とに区分され、
前記リュックサック構成部には、背負いベルト部が設けられ、
前記リュックサック構成部は、
前記箱状のリュックサックの蓋となる上面部と、
前記箱状のリュックサックの正面部と、
前記箱状のリュックサックの底面となる底面部と、
前記背負いベルト部が取り付けられる背面部と、
前記箱状のリュックサックの左右の側面を形成するための左側面部および右側面部とを含み、
前記寝袋の上から順に前記上面部、前記正面部、前記底面部、前記背面部が略同一幅で連接され、且つ、前記背面部に前記左側面部、前記右側面部が連接されることにより凸型に形成され、
前記正面部と前記背面部とは、前記底面部を挟んで、その境界において底面側に向けて折り曲げられて、前記底面部の前後において対向して立設されるように連接され、
前記右側面部および前記左側面部は、前記背面部との境界において、底面側に向けて折り曲げられて、前記底面部を挟んで立設されるように連接され、
前記右側面部および前記左側面部における前記背面部との境界以外の部分の一部は、前記正面部と前記背面部との間において、前記底面部と前記正面部と連結部材により係着されることにより連結され、
前記上面部は、連結された前記正面部、前記背面部、前記右側面部および前記左側面部により囲繞されることにより形成された開口部を被蓋するように、前記正面部に折り曲げ自在に連接されて、箱状のリュックサックに形成されることを特徴とするリュックサック兼用寝袋。
【請求項２】
前記非リュックサック構成部は、前記上面部、前記正面部、前記底面部、前記右側面部および前記左側面部との境界において、前記正面部、前記底面部、前記背面部、前記右側面部および前記左側面部で形成された箱状リュックサック部内に折りたたまれるように連接された、請求項１に記載のリュックサック兼用寝袋。
【請求項３】
前記連結部材は、前記寝袋の一部を囲綾するように左ファスナ部および右ファスナ部により構成され、
前記左ファスナ部は、第１左ファスナ部と第２左ファスナ部により構成され、
前記第１左ファスナ部は、一端部である前記上面部の上辺の略中央から前記上面部の左辺、前記正面部の左辺および他端部である前記底面部の左辺の下端まで設けられ、
前記第２左ファスナ部は、一端部である前記左側面部の上辺の右端から前記左側面部の左辺、前記左側面部の下辺および他端部である前記背面部の下辺の略中央まで設けられ、
前記右ファスナ部は、第１右ファスナ部と第２右ファスナ部により構成され、
前記第１右ファスナ部は、一端部である前記上面部の上辺の略中央から前記上面部の右辺、前記正面部の右辺および他端部である前記底面部の右辺の下端まで設けられ、
前記第２右ファスナ部は、一端部である前記右側面部の上辺の左端から前記右側面部の右辺、前記右側面部の下辺、および他端部である前記背面部の下辺の略中央まで設けられることを特徴とする、請求項２に記載のリュックサック兼用寝袋。
【請求項４】
前記箱状のリュックサックを形成するための型紙が準備され、
前記型紙は、
前記リュックサック構成部における前記正面部、前記底面部、前記背面部、前記左側面部および右側面部と略同形状の凸型に形成され、
前記正面部、前記底面部、前記背面部、前記左側面部および前記右側面部の位置における前記上掛部と前記下敷部との間に配置することを特徴とする、請求項１ないし請求項３のいずれかに記載のリュックサック兼用寝袋。